(57)【要約】      （修正有）【課題】使い易さと使用時の快適さが向上した恒温水循環負圧物理療法機器を提供する。【解決手段】恒温水循環負圧物理療法機器は、貯水タンク３、物理療法カップ４、真空ポンプ、ウォーターポンプ及び恒温コントローラ８を含む。貯水タンク内には貯水キャビティが設けられる。物理療法カップには、生殖器が挿入できる物理療法キャビティが設けられ、物理療法キャビティと貯水キャビティは、パイプを介して連通される。生殖器が挿入されると、物理療法キャビティは密閉空間を形成する。真空ポンプの抽気端は、貯水キャビティと連通して、貯水キャビティと物理療法キャビティとの内部で負圧を発生させる。ウォーターポンプの吸水端が貯水キャビティと連通し、ウォーターポンプの出水端が物理療法キャビティと連通することで貯水キャビティと物理療法キャビティとの間の液体循環が実現される。恒温コントローラは、貯水キャビティ内の液体を定温で加熱する。【選択図】図１
0003227874.tif 000002
【実用新案登録請求の範囲】
【請求項１】
貯水タンク、物理療法カップ、真空ポンプ、ウォーターポンプ及び恒温コントローラを含み、
前記貯水タンク内には、貯水キャビティが設けられており、
前記物理療法カップには、生殖器が挿入できる物理療法キャビティが設けられており、
前記物理療法キャビティと前記貯水キャビティは、パイプを介して連通され、生殖器が挿入されると、前記物理療法キャビティの内部は、密閉空間を形成し、
前記真空ポンプの抽気端は、前記貯水キャビティと連通して、前記貯水キャビティと前記物理療法キャビティの両方の内部で負圧を発生させ、
前記ウォーターポンプの吸水端が前記貯水キャビティと連通し、前記ウォーターポンプの出水端が前記物理療法キャビティと連通することによって、前記貯水キャビティと前記物理療法キャビティとの間の液体循環は実現され、
前記恒温コントローラは、前記貯水キャビティ内の液体を定温で加熱することを特徴とする新型の恒温水循環負圧物理療法機器。
【請求項２】
前記貯水タンクには、前記貯水キャビティと連通する出気口、第一吸水口及び第一出水口がさらに設けられ、前記物理療法カップには、前記物理療法キャビティと連通する第二吸水口と第二出水口がさらに設けられ、
前記第二出水口と前記第一吸水口がパイプを介して接続され、前記第一出水口と前記ウォーターポンプの吸水端がパイプを介して接続され、前記第二吸水口と前記ウォーターポンプの出水端がパイプを介して接続されることによって、前記貯水キャビティと前記物理療法キャビティとの間の液体循環は実現され、前記出気口は、パイプを介して前記真空ポンプの抽気端と連通することを特徴とする請求項１に記載の新型の恒温水循環負圧物理療法機器。
【請求項３】
前記恒温コントローラは、コントローラ本体、温度測定プローブ及び加熱片を含み、前記温度測定プローブの感知部は、前記貯水キャビティ内まで伸びて前記貯水キャビティ内の液体の温度を測定し、前記加熱片は、前記貯水キャビティ内まで伸びて前記貯水キャビティ内の液体を加熱し、前記温度測定プローブと前記加熱片は、いずれも前記コントローラ本体と電気的に接続して、前記貯水キャビティ内の液体を定温で加熱することを特徴とする請求項１に記載の新型の恒温水循環負圧物理療法機器。
【請求項４】
乾燥フィルターをさらに含み、前記乾燥フィルターの吸気端と前記出気口は、パイプを介して互いに連通され、前記乾燥フィルターの出気端と前記真空ポンプの抽気端は、パイプを介して互いに連通することを特徴とする請求項２に記載の新型の恒温水循環負圧物理療法機器。
【請求項５】
負圧ゲージと圧力調整弁とをさらに含み、前記負圧ゲージと前記圧力調整弁の通気端は、それぞれパイプを介して前記真空ポンプの抽気端と連通されて、前記貯水キャビティと前記物理療法キャビティ内の負圧の大きさを監視して調整することを特徴とする請求項１に記載の新型の恒温水循環負圧物理療法機器。
【請求項６】
前記物理療法カップには、ソフトゴムカバーがさらに設けられており、前記ソフトゴムカバーは、前記物理療法キャビティの開口部位を取り囲むように設けられ、前記ソフトゴムカバーには、前記物理療法キャビティと連通する貫通孔が設けられ、前記貫通孔の直径は、正常男性の生殖器の直径より小さいことを特徴とする請求項１に記載の新型の恒温水循環負圧物理療法機器。
【請求項７】
前記真空ポンプの抽気速度は、前記ウォーターポンプの抽水速度より大きいことを特徴とする請求項１に記載の新型の恒温水循環負圧物理療法機器。
【考案の詳細な説明】
【技術分野】
【０００１】
本考案は、男性のリプロダクティブ・ヘルス技術分野に関し、具体的に新型の恒温水循環負圧物理療法機器に関するものである。
【背景技術】
【０００２】
生活のストレスなどで、男性の生殖機能障害が増えている。中国特許第ＣＮ２０１６２１３５３３９６.９号文献には、真空ポンプを利用して男性生殖器を拡大したり、性機能を改善したりするような装置が開示されている。当該装置は、男性生殖器の健康に対して一定の改善効果をもたらすが、寒い冬に使うと生殖器が寒さを感じて体の具合が悪くなり、生殖器が恒温で快適な環境にあることができなくなり、使用が不便で、使用体験が好ましくない。
【考案の概要】
【考案が解決しようとする課題】
【０００３】
以上の問題を解決するために、本考案は新型の恒温水循環負圧物理療法機器を提供して、背景技術に提出された問題を解決している。
【課題を解決するための手段】
【０００４】
上記の課題を解決するために、本考案に係る新型の恒温水循環負圧物理療法機器は、貯水タンク、物理療法カップ、真空ポンプ、ウォーターポンプ及び恒温コントローラを含み、前記貯水タンク内には、貯水キャビティが設けられており、前記物理療法カップには、生殖器が挿入できる物理療法キャビティが設けられており、前記物理療法キャビティと前記貯水キャビティは、パイプを介して連通され、生殖器が挿入されると、前記物理療法キャビティの内部は、密閉空間を形成し、前記真空ポンプの抽気端は、前記貯水キャビティと連通して、前記貯水キャビティと前記物理療法キャビティの両方の内部で負圧を発生させ、前記ウォーターポンプの吸水端が前記貯水キャビティと連通し、前記ウォーターポンプの出水端が前記物理療法キャビティと連通することによって、前記貯水キャビティと前記物理療法キャビティとの間の液体循環は実現され、前記恒温コントローラは、前記貯水キャビティ内の液体を定温で加熱する。
【０００５】
好ましくは、前記貯水タンクには、前記貯水キャビティと連通する出気口、第一吸水口及び第一出水口がさらに設けられ、前記物理療法カップには、前記物理療法キャビティと連通する第二吸水口と第二出水口がさらに設けられ、前記第二出水口と前記第一吸水口がパイプを介して接続され、前記第一出水口と前記ウォーターポンプの吸水端がパイプを介して接続され、前記第二吸水口と前記ウォーターポンプの出水端がパイプを介して接続されることによって、前記貯水キャビティと前記物理療法キャビティとの間の液体循環は実現され、前記出気口は、パイプを介して前記真空ポンプの抽気端と連通する。
【０００６】
好ましくは、前記恒温コントローラは、コントローラ本体、温度測定プローブ及び加熱片を含み、前記温度測定プローブの感知部は、前記貯水キャビティ内まで伸びて前記貯水キャビティ内の液体の温度を測定し、前記加熱片は、前記貯水キャビティ内まで伸びて前記貯水キャビティ内の液体を加熱し、前記温度測定プローブと前記加熱片は、いずれも前記コントローラ本体と電気的に接続して、前記貯水キャビティ内の液体を恒温加熱する。
【０００７】
好ましくは、前記新型の恒温水循環負圧物理療法機器は、乾燥フィルターをさらに含み、前記乾燥フィルターの吸気端と前記出気口は、パイプを介して互いに連通され、前記乾燥フィルターの出気端と前記真空ポンプの抽気端は、パイプを介して互いに連通する。
【０００８】
好ましくは、前記新型の恒温水循環負圧物理療法機器は、負圧ゲージと圧力調整弁とをさらに含み、前記負圧ゲージと前記圧力調整弁の通気端は、それぞれパイプを介して前記真空ポンプの抽気端と連通されて、前記貯水キャビティと前記物理療法キャビティ内の負圧の大きさを監視して調整する。
【０００９】
好ましくは、前記物理療法カップには、ソフトゴムカバーがさらに設けられており、前記ソフトゴムカバーは、前記物理療法キャビティの開口部位を取り囲むように設けられ、前記ソフトゴムカバーには、前記物理療法キャビティと連通する貫通孔が設けられ、前記貫通孔の直径は、正常男性の生殖器の直径より小さい。
【００１０】
好ましくは、前記真空ポンプの抽気速度は、前記ウォーターポンプの抽水速度より大きい。
【考案の効果】
【００１１】
本考案に係る新型の恒温水循環負圧物理療法機器は、以下の有益な効果を奏することができる。使用時に、まず、貯水キャビティ内に適量の液体を注入して、恒温コントローラを起動して、貯水キャビティ内の液体を所定の温度値に到達させた後に、生殖器を物理療法キャビティ内に挿入して、物理療法キャビティに密閉な空間を形成させる。次に、真空ポンプとウォーターポンプを起動する。真空ポンプは、貯水キャビティと物理療法キャビティの両方に一定の負圧を発生させ、生殖器に対する負圧物理療法を実現する。ウォーターポンプは、貯水キャビティ内の一定の温度を有する液体を物理療法キャビティ内に転送して、生殖器に対して温水マッサージを行なう。総じて言えば、この新型の恒温水循環負圧物理療法機器は、生殖器に対して負圧と温水マッサージ物理療法を行うことができ、且つ液体温度は一定であり、生殖器を恒温で快適な環境に置かせて、使用し易く、使用中の快適さを高めることができる。
【図面の簡単な説明】
【００１２】
【図１】本考案の一実施例に係る新型の恒温水循環負圧物理療法機器の全体構造を示す斜視図の一例である。
【図２】本考案の一実施例に係る新型の恒温水循環負圧物理療法機器の全体構造を別の視点から見た斜視図の一例である。
【図３】本考案の一実施例に係る新型の恒温水循環負圧物理療法機器の内部構造を示す図の一例である。
【図４】本考案の一実施例に係る新型の恒温水循環負圧物理療法機器の内部構造を別の視点から見た図の一例である。
【図５】本考案の一実施例における貯水タンクと恒温コントローラの構造を示す図の一例である。
【図６】本考案の一実施例における物理療法カップの構造を示す図の一例である。
【図７】本考案の一実施例に係る新型の恒温水循環負圧物理療法機器の電気接続関係を示すブロック図の一例である。
【考案を実施するための形態】
【００１３】
以下に説明する実施例は、ただ本考案の一部の実施例にすぎず、全ての実施例ではない。本考案における実施例に基づいて、当業者は、創造的な努力を払わない前提下に得られた他の実施例も、本考案の保護範囲内に属するものである。
【００１４】
図１〜図７に示すように、本考案の一実施例が提供する新型の恒温水循環負圧物理療法機器は、ハウジング２、貯水タンク３、物理療法カップ４、真空ポンプ６、ウォーターポンプ７及び恒温コントローラ８を備える。ハウジング２の内部には、収容キャビティ２１が設けられている。
【００１５】
貯水タンク３は、ハウジング２に取り付けられる。貯水タンク３は、貯水キャビティ３１を有する。物理療法カップ４は、ハウジング２の外部に置かれている。物理療法カップ４には、男性の生殖器が挿入されるための物理療法キャビティ４１が設けられている。物理療法キャビティ４１は、パイプを経由して貯水キャビティ３１と連通する。男性ユーザの生殖器が物理療法キャビティ４１内に挿入された後、物理療法キャビティ４１の内部は、密閉な空間を形成する。具体的には、物理療法カップ４には、ソフトゴムカバー５がさらに設けられている。ソフトゴムカバー５は、物理療法キャビティ４１の開口部位を取り囲むように設けられる。ソフトゴムカバー５には、物理療法キャビティ４１と外部環境とを連通させるための貫通孔５１が設けられている。貫通孔５１の直径は、正常男性の生殖器の直径よりやや小さい。これにより、生殖器が貫通孔５１を通して物理療法キャビティ４１内に挿入した時に、貯水キャビティ３１と物理療法キャビティ４１が密閉な空間を形成する。
【００１６】
真空ポンプ６は、収容キャビティ２１内に取り付けられている。また、真空ポンプ６の抽気端は、貯水キャビティ３１と連通して、貯水キャビティ３１と物理療法キャビティ４１との内部に負圧を発生させる。ウォーターポンプ７は、収容キャビティ２１内に設置されている。ウォーターポンプ７の吸水端が貯水キャビティ３１と連通し、且つウォーターポンプ７の出水端が物理療法キャビティ４１と連通することによって、貯水キャビティ３１と物理療法キャビティ４１との間の液体循環は実現される。恒温コントローラ８は、収容キャビティ２１内に取り付けられる。貯水キャビティ３１内の液体の温度を制御するために、恒温コントローラ８の一端は、貯水キャビティ３１内に伸びる。
【００１７】
具体的には、真空ポンプ６とウォーターポンプ７は同時にオンされるかまたは同時にオフされる。真空ポンプ６の抽気速度がウォーターポンプ７の抽水速度より大きいため、物理療法キャビティ４１内に負圧の物理療法作用を発生させるとともに、物理療法キャビティ４１内の液体が貯水キャビティ３１内に自動的に流し込むことができる。これにより、液体の循環流動を実現する。
【００１８】
本実施例では、貯水キャビティ３１内の液体は、浄化水または補助保健薬であり、物理療法の効果を高めることができる。真空ポンプ６、ウォーターポンプ７及び恒温コントローラ８は、いずれもオン／オフするための制御スイッチを備えており、また、真空ポンプ６とウォーターポンプ７は、同一の制御スイッチを共用しても良い。
【００１９】
上記の実施例によれば、使用時に、まず貯水キャビティ３１内に適量の液体を注入して、恒温コントローラ８を起動して、貯水キャビティ３１内の液体を所定の温度値に到達させた後、生殖器がソフトゴムカバー５の貫通孔５１に通して、物理療法キャビティ４１内に入れると、貯水キャビティ３１と物理療法キャビティ４１は密閉な空間に形成し、その後、真空ポンプ６とウォーターポンプ７とを起動する。真空ポンプ６によって、貯水キャビティ３１と物理療法キャビティ４１内に、それぞれ一定の負圧を発生させて、生殖器に対する負圧物理療法を実現する。ウォーターポンプ７は、貯水キャビティ３１内の一定の温度を有する液体を物理療法キャビティ４１内に転送し、生殖器に対して温水マッサージ物理療法を行なう。総じて言えば、この新型の恒温水循環負圧物理療法機器は、生殖器に対して負圧と温水マッサージ物理療法を行なうことができ、また液体温度は恒常であり、生殖器を恒温で快適な環境に置かせて、使用しやすく、使用中の快適さを高めることができる。
【００２０】
さらに、貯水キャビティ３１と物理療法キャビティ４１との間、真空ポンプ６と貯水キャビティ３１との間、及びウォーターポンプ７と貯水キャビティ３１、物理療法キャビティ４１との間の配管の取り外しが可能になるようにするために、貯水タンク３には、貯水キャビティ３１に連通された出気口３２、第一吸水口３３及び第一出水口３４がさらに設けられており、物理療法カップ４には、物理療法キャビティ４１に連通された第二吸水口４２及び第二出水口４３がさらに設けられている。また、第二出水口４３と第一吸水口３３がパイプを介して連通され、第一出水口３４とウォーターポンプ７の吸水端がパイプを介して連通され、第二吸水口４２とウォーターポンプ７の出水端がパイプを介して連通されることによって、貯水キャビティ３１と物理療法キャビティ４１との間の液体循環が実現され得る。出気口３２と真空ポンプ６の抽気端は、パイプを介して連通されている。
【００２１】
さらに、貯水キャビティ３１内の液体温度の調整を容易にし、使用中の快適さを向上させるために、恒温コントローラ８は、コントローラ本体８１と、温度測定プローブ８２と、加熱片８３とを備え、コントローラ本体８１は、収容キャビティ２１内に設置され、温度測定プローブ８２は、貯水タンク３に装着される。また、温度測定プローブ８２の感知部は、貯水キャビティ３１内に伸びて、貯水キャビティ３１内の液体の温度を検出する。加熱片８３は、貯水キャビティ３１内に伸びて、貯水キャビティ３１内の液体を加熱する。温度測定プローブ８２と加熱片８３は、いずれもコントローラ本体８１と電気的に接続されて、貯水キャビティ３１内の液体を定温で加熱する。
【００２２】
具体的には、使用時に、温度測定プローブ８２の感知部が、貯水キャビティ３１内の液体の温度を測定し、且つコントローラ本体８１にフィードバックする。その後、コントローラ本体８１は、測定した温度と予め設定された温度とを対比して、測定した温度が設定された温度より低い場合には、加熱片８３に指令を送信して、加熱片８３を働かせて液体を加熱し、測定した温度が設定された温度より高い場合には、加熱片８３に指令を送信して、加熱片８３に加熱操作を停止させるように制御する。これにより、貯水キャビティ３１内の液体は、恒温を保つようになる。
【００２３】
本実施例では、貯水キャビティ３１内の液体の温度値の範囲は４０℃〜４５℃であり、温度値が高すぎるまたは低すぎると、物理療法の効果または使用時の快適さは低下される。使用者は、自身の需要に応じて具体的に調整することができる。
【００２４】
さらに、真空ポンプ６で抽出された気体を乾燥して、真空ポンプ６の使用寿命を延長するために、本考案に係る新型の恒温水循環負圧物理療法機器は、乾燥フィルター９をさらに含み、ハウジング２には、取付キャビティ２２がさらに設けられている。乾燥フィルター９は、取付キャビティ２２内に置かれている。乾燥フィルター９の吸気端と出気口３２は、パイプを介して互いに連通する。また、乾燥フィルター９の出気端と真空ポンプ６の抽気端は、パイプを介して互いに連通する。
【００２５】
さらに、貯水キャビティ３１と物理療法キャビティ４１内の負圧を調整しやすくして使用時の快適さを向上させるために、前記新型の恒温水循環負圧物理療法機器は、負圧ゲージ１０と圧力調整弁１１とをさらに含み、負圧ゲージ１０と圧力調整弁１１は、共にハウジング２に取り付けられる。しかも、負圧ゲージ１０と圧力調整弁１１の通気端は、それぞれパイプを介して真空ポンプ６の抽気端と連通されて、貯水キャビティ３１と物理療法キャビティ４１内の負圧の大きさを監視して調整する。
【００２６】
本実施例では、貯水キャビティ３１と物理療法キャビティ４１内の負圧値が１０〜２０Ｋｐａの範囲であることが望ましい。負圧値が低すぎるまたは高すぎる場合に、予想される物理療法効果を達成できないため、使用者は自身の必要に応じて具体的に調整することができる。
【００２７】
さらに、真空ポンプ６、ウォーターポンプ７及びコントローラ本体８１に適当な安全電圧を供給して、真空ポンプ６、ウォーターポンプ７及びコントローラ本体８１の正常な使用を保証するために、本考案の新型の恒温水循環負圧物理療法機器は、トランス１２と外部電源線１３とをさらに含み、トランス１２は、収容キャビティ２１内に配置され、真空ポンプ６、ウォーターポンプ７及びコントローラ本体８１は、それぞれトランス１２に電気的に接続され、外部電源線１３の一端は、ハウジング２に対して着脱可能であり、且つトランス１２と電気的に接続可能である。
【符号の説明】
【００２８】
２      ハウジング
２１    収容キャビティ
２２    取付キャビティ
３      貯水タンク
３１    貯水キャビティ
３２    出気口
３３    第一吸水口
３４    第一出水口
４      物理療法カップ
４１    物理療法キャビティ
４２    第二吸水口
４３    第二出水口
５      ソフトゴムカバー
５１    貫通孔
６      真空ポンプ
７      ウォーターポンプ
８      恒温コントローラ
８１    コントローラ本体
８２    温度測定プローブ
８３    加熱片
９      乾燥フィルター
１０    負圧ゲージ
１１    圧力調整弁
１２    トランス
１３    外部電源線
【図１】
0003227874.tif 000003
【図２】
0003227874.tif 000004
【図３】
0003227874.tif 000005
【図４】
0003227874.tif 000006
【図５】
0003227874.tif 000007
【図６】
0003227874.tif 000008
【図７】
0003227874.tif 000009